(57)【要約】【課題】複数個のバッフルが配設され回転ドラム内へ熱風を送風して衣類を乾燥させる衣類乾燥機において、回転ドラム全体に熱風を行き渡らせ、衣類の乾き具合にムラがないように効率的に乾燥運転ができる衣類乾燥機を実現する。【解決手段】熱風は回転ドラム１４背面の熱風吹出口１４ａから吹き出すとともに、バッフル１５前方の熱風吹出口１５ｂを介して回転ドラム１４の前方の略回転中心に向かって吹き出すように構成したものであり、回転ドラム１４全体に熱風を行き渡らせ、衣類の乾き具合にムラがないように効率的に乾燥運転ができるものである。【選択図】図１
2012196395.tif 000002
【特許請求の範囲】
【請求項１】
熱源と、衣類を収納し乾燥させる回転ドラムと、前記回転ドラム内に前記熱源により加熱された熱風を供給する送風ファンと、前記回転ドラムおよび前記送風ファンの駆動源となるモータと、前記回転ドラム内に配設され衣類を撹拌するための突起である複数個のバッフルとを備え、熱風は前記回転ドラムの背面から吹き出すとともに、前記バッフルを介して前記回転ドラムの前方の略回転中心に向かって吹き出すように構成した衣類乾燥機。
【請求項２】
前記回転ドラム内に吹き出された熱風は、前記回転ドラムの背面から前記送風ファンに向かって排出するように構成した請求項１記載の衣類乾燥機。
【請求項３】
前記送風ファンは両翼ファンとし、前記回転ドラムの背面から前記送風ファンに向かって排出された熱風は、含まれる水蒸気が前記送風ファンの背面側に発生させた冷却風によって凝縮水として分離されたのち、再び前記回転ドラム内へと循環されるように構成した請求項２記載の衣類乾燥機。
【発明の詳細な説明】
【技術分野】
【０００１】
本発明は、複数個のバッフルが配設され回転ドラム内へ熱風を送風して衣類を乾燥させる衣類乾燥機に関するものである。
【背景技術】
【０００２】
従来、衣類乾燥機においては、本体の正面側に配設された熱源を通って加熱された熱風が、熱風吹出口を介して回転ドラムに導入されるように構成していた（例えば、特許文献１参照）。
【０００３】
図３に示すように、本体１の下部に駆動源となるモータ２を設けており、このモータ２によって本体１の背面側に設けた送風ファン３および回転ドラム４を回転させるようにしている。また、本体１の正面側に熱源となるヒータ５を配設し、送風ファン３の回転によりヒータ５を通って加熱された熱風が熱風吹出口６を介して回転ドラム４内に導入され、回転ドラム４内に収容された衣類が加熱乾燥される。また、回転ドラム４にはバッフル７が配設され衣類を回転攪拌する。回転ドラム４内に導入された熱風は回転ドラム４背面に配設されたフィルターに向かって流れる。矢印Ａは風の流れを示している。
【先行技術文献】
【特許文献】
【０００４】
【特許文献１】特開２００３−１１１９９９号公報
【発明の概要】
【発明が解決しようとする課題】
【０００５】
しかしながら、このような従来の衣類乾燥機では、回転ドラム内での熱風の流れが一方向であるため、回転ドラム全体に熱風が行き渡らず、衣類の乾きムラが発生するという課題があった。
【０００６】
本発明は、上記従来の課題を解決するもので、衣類の乾き具合にムラがないように回転ドラム全体に熱風を行き渡らせることができる衣類乾燥機を提供することを目的としている。
【課題を解決するための手段】
【０００７】
本発明の衣類乾燥機は上記目的を達成するために、熱風は回転ドラムの背面から吹き出すとともに、バッフル内を介して回転ドラムの前方の略回転中心に向かって吹き出すように構成した衣類乾燥機である。これにより、回転ドラム全体に熱風を行き渡らせることができ、衣類の乾きムラがないように効率的に乾燥運転ができるものである。
【発明の効果】
【０００８】
本発明の衣類乾燥機は、回転ドラム全体に熱風を行き渡らせ、衣類の乾きムラがないように効率的に乾燥運転ができる衣類乾燥機を実現することができる。
【図面の簡単な説明】
【０００９】
【図１】本発明の実施の形態１の衣類乾燥機の縦断面図
【図２】同衣類乾燥機の回転ドラムの構成を示す正面図
【図３】従来の衣類乾燥機の縦断面図
【発明を実施するための形態】
【００１０】
第１の発明は、熱源と、衣類を収納し乾燥させる回転ドラムと、前記回転ドラム内に前記熱源により加熱された熱風を供給する送風ファンと、前記回転ドラムおよび前記送風ファンの駆動源となるモータと、前記回転ドラム内に配設され衣類を撹拌するための突起である複数個のバッフルとを備え、熱風は前記回転ドラムの背面から吹き出すとともに、前記バッフルを介して前記回転ドラムの前方の略回転中心に向かって吹き出すように構成したことにより、回転ドラム全体に熱風を行き渡らせ、衣類の乾き具合にムラがないように効率的に乾燥運転ができるものである。
【００１１】
第２の発明は、上記第１の発明において、前記回転ドラム内に吹き出された熱風は、前記回転ドラムの背面から前記送風ファンに向かって排出するように構成したことにより、回転ドラムの背面から吹き出す熱風とバッフルを介して回転ドラムの前方の略回転中心に向かって吹き出す熱風とを効率よく循環させ、効率的に乾燥運転ができる。
【００１２】
第３の発明は、上記第２の発明において、前記送風ファンは両翼ファンとし、前記回転ドラムの背面から前記送風ファンに向かって排出された熱風は、含まれる水蒸気が前記送風ファンの背面側に発生させた冷却風によって凝縮水として分離されたのち、再び前記回転ドラム内へと循環されるように構成したことにより、衣類から熱交換によって水分を収集した熱風から効率よく水蒸気を取り去り、乾燥した熱風として再び回転ドラム内へと循環させることができるので、より効率的な乾燥運転を実現することができる。
【００１３】
以下、本発明の実施の形態について、図面を参照しながら説明する。なお、この実施の形態によって本発明が限定されるものではない。
【００１４】
（実施の形態１）
図１は本発明の実施の形態１における衣類乾燥機の縦断面図、図２は同衣類乾燥機の回転ドラムの構成を示す正面図である。図１および図２において、本体１１の上部に駆動源となるモータ１２を設けており、このモータ１２によって本体１１の背面側に設けた送風ファン１３および回転ドラム１４を回転させるようにしている。
【００１５】
回転ドラム１４は、衣類乾燥機の衣類投入口に対向させた略円形の開口部を有する円筒状に形成され、その内周面には衣類を撹拌するための突起である複数個のバッフル１５を設けている。本実施の形態では、バッフル１５は１８０度の角度をなして２個設けてある。送風ファン１３は前面側と背面側の両方に翼部を有する両翼ファンで、循環風Ｂ１、Ｂ２と冷却風Ｃとを熱交換させるとともに送風機能を有しており、回転ドラム１４の後方に配設したファンケース１６に回転ドラム１４と同軸上で回転自在に収納している。
【００１６】
本体１１の後方下部に設けた排水口１７は、衣類から収集され凝縮した水を機外に排水するものである。ヒータ１８はヒータカバー１９に収納しており、ヒータカバー１９は後面開口部をファンケース１６の循環側開口部に連通し、前面開口部を回転ドラム１４の奥の面の熱風吹出口１４ａに連通している。このヒータ１８は、送風ファン１３の前面側の翼部の前方に対向させて配設し、送風ファン１３の回転方向に対する位置はいずれの位置でもよいが、本実施の形態では上方位置に配置している。
【００１７】
バッフル１５は風洞１５ａを有し、後面開口部を回転ドラム１４の奥の面の熱風吹出口１４ｂに連通している。バッフル１５の前方には複数個の熱風吹出口１５ｂが回転ドラム１４の略回転中心に向かって設けられている。内側シール２０と外側シール２１はフェルトで構成され、ファンケース１６に取付けられており、回転体である回転ドラム１４と摺動しながら必要レベルの気密を保持し、循環風Ｂ１、Ｂ２の経路を形成する。
【００１８】
なお、衣類乾燥機の前面に設けた衣類投入口周辺の構成は、従来の一般的な衣類乾燥機と同様であるので説明は省略する。
【００１９】
上記構成において、衣類投入口から衣類を回転ドラム１４内に投入し、運転が開始され、モータ１２が回転すると、回転ドラム１４および送風ファン１３が回転する。送風ファン１３が回転すると、循環風Ｂ１、Ｂ２と冷却風Ｃとが発生する。循環風Ｂ１は、ファンケース１６の循環側開口部からヒータ１８を経由して加熱され、内側シール２０と外側シール２１との間を通り、回転ドラム１４背面の熱風吹出口１４ａを経由して、前方に向かって回転ドラム１４内に導入され、衣類を撹拌しながら乾燥し、回転ドラム１４背面の中央部に設けた排気口１４ｃから送風ファン１３に向かって当てるように排出され、再度送風ファン１３側に戻る、という経路で循環する。
【００２０】
また、循環風Ｂ２は、ファンケース１６の循環側開口部からヒータ１８を経由して加熱され、内側シール２０と外側シール２１との間を通り、回転ドラム１４背面の熱風吹出口１４ｂを経由して、バッフル１５の風洞１５ａを通って熱風吹出口１５ｂより回転ドラム１４の前方の内周面から前方の略回転中心に向かって吹き出され、回転ドラム１４内の衣類を撹拌しながら乾燥し、回転ドラム１４背面の中央部に設けた排気口１４ｃから送風ファン１３に向かって当てるように排出され、再度送風ファン１３側に戻るという循環の流れを形成する。
【００２１】
冷却風Ｃは本体１１の背面から流入し背面下方より機外に流出する。衣類と熱交換され高温多湿となった循環風Ｂ１、Ｂ２の水蒸気は、送風ファン１３の背面側の冷却風Ｃによって凝縮水となり分離され、下方に滴下して排水口１７より機外へ排水される。
【００２２】
以上のように、回転ドラム１４の背面の熱風吹出口１４ａを経由して回転ドラム１４内に導入される循環風Ｂ１は回転ドラム１４内の後方の衣類に当たりやすく、バッフル１５前方の熱風吹出口１５ｂを経由して回転ドラム１４の前方の内周面から前方の略回転中心に向かって導入される循環風Ｂ２は回転ドラム１４内の前方の衣類に当たりやすいので、回転ドラム１４全体に熱風を行き渡らせることができ、衣類の乾きムラがないように効率的にエネルギーを節約した乾燥運転を行うことができる。
【００２３】
また、循環風Ｂ１は回転ドラム１４の背面から前方に向かって吹き出し、循環風Ｂ２は回転ドラム１４の前方の内周面から前方の略回転中心に向かって吹き出すことによって、循環風Ｂ１と循環風Ｂ２の吹き出し時の向きを直交させ、熱風を適度に混合乱流化させて効率的な乾燥を行うことができる。
【００２４】
また、循環風Ｂ１、Ｂ２は、ともに回転ドラム１４の背面中央部から送風ファン１３に向かって排出することにより、熱風をスムーズかつ効率よく循環させ、効率的な乾燥を行うことができる。
【００２５】
さらに、送風ファン１３は両翼ファンとし、かつ、循環風Ｂ１、Ｂ２を回転ドラム１４の背面から送風ファン１３に向かって当てるように排出し、循環風Ｂ１、Ｂ２に含まれる水蒸気が送風ファン１３の背面側に発生させた冷却風Ｃによって凝縮水として分離されたのち、再び回転ドラム１４内へと循環させることにより、衣類から熱交換によって水分を収集した熱風から効率よく水蒸気を取り去り、乾燥した熱風として再び回転ドラム１４内へと循環させることができるので、より効率的な乾燥を行うことができる。
【００２６】
なお、本発明の実施の形態１として、回転ドラム１４の背面側から熱風が導入され背面中央部から排気する構成を示したが、回転ドラム１４の背面側から熱風が導入され前面側に排気する構成であっても、回転ドラム１４の内部全体に熱風を行き渡らせることによる効果については、同様の効果が得られる。
【産業上の利用可能性】
【００２７】
以上のように、本発明にかかる衣類乾燥機は、回転ドラム全体に熱風を行き渡らせ、衣類の乾き具合にムラがないように効率的に乾燥運転を行うことができるので、複数個のバッフルが配設され回転ドラム内へ熱風を送風して衣類を乾燥させる構成の衣類乾燥機等として有用である。
【符号の説明】
【００２８】
１１    本体
１２    モータ
１３    送風ファン
１４    回転ドラム
１４ａ、１４ｂ  熱風吹出口
１４ｃ  排気口
１５    バッフル
１５ａ  風洞
１５ｂ  熱風吹出口
１６    ファンケース
１８    ヒータ（熱源）
Ｂ１、Ｂ２  循環風
Ｃ      冷却風
【図１】
2012196395.tif 000003
【図２】
2012196395.tif 000004
【図３】
2012196395.tif 000005